(57)【要約】【課題】駅のプラットホーム等、通行量の多い場所に設置された階段等の歩行路面を改修するための改修用部材と、その改修用部材を、改修すべき階段の部分に設置して施工するための施工方法に関し、改修後においても磨耗が生じにくく、また改修のための施工のコストを削減することができ、改修工事のための工期も短縮することができる、階段等の歩行路面の改修用部材とその施工方法を提供することを課題とするものである。【解決手段】階段等の歩行路面の改修部分の表面に接着される金属製の下地材と、該下地材の表面に設けられる耐磨耗性の石材とで階段等の歩行路面の改修用部材を構成したことを特徴とする。【選択図】    図１
2004316243.tif 000002
【特許請求の範囲】
【請求項１】
階段等の歩行路面の改修部分の表面に接着される金属製の下地材（１）  と、該下地材（１）  の表面に設けられる耐磨耗性の石材（２）  とからなることを特徴とする階段等の歩行路面の改修用部材。
【請求項２】
金属製の下地材（１）  が、ステンレス製のものである請求項１記載の階段等の歩行路面の改修用部材。
【請求項３】
耐磨耗性の石材（２）  が、みかげ石からなる請求項１又は２記載の階段等の歩行路面の改修用部材。
【請求項４】
階段等の歩行路面の改修部分の表面に、金属製の下地材（１）  を設け、該下地材（１）  の表面に、耐磨耗性の石材（２）  を設けて施工することを特徴とする階段等の歩行路面の改修用部材の施工方法。
【発明の詳細な説明】
【０００１】
【発明の属する技術分野】
本発明は、階段等の歩行路面の改修用部材とその施工方法、さらに詳しくは、駅のプラットホーム等、通行量の多い場所に設置された階段等の歩行路面を改修するための改修用部材と、その改修用部材を、改修すべき階段の部分に設置して施工するための施工方法に関する。
【０００２】
【従来の技術】
一般に、駅のプラットホーム等に設置された階段は、人の通行量が多く、当然のことながら、年月の経過とともに階段の表面が磨耗することなる。そして、階段表面部分の磨耗の程度が顕著になると、その磨耗部分を補修することが必要となる。
【０００３】
このような改修作業が必要となった場合、従来では、その磨耗した部分に石材を貼り付ける等によって作業がなされている。
【０００４】
【発明が解決しようとする課題】
このような石材を取り付けると、その石材の厚みによって階段の表面部分の高さが元の高さより高くなる場合がある。しかし、階段が設置されている場所が、比較的低い天井部分が存在する等、高さ制限のあるような場所である場合には、上記のように石材の厚みによって階段の表面部分の高さが高くなることは不都合である。
【０００５】
このような場合には、石材の厚みによっても支障が生じないように、磨耗した階段部分をさらに切削して高さを予め調整しておく必要がある。
従って、このような高さ調節のための作業が必要となる分、施工の費用が増大し、改修工事のための工期も長くなるという問題点がある。
【０００６】
さらに、上記のような石材を用いて階段の磨耗した部分を補修したとしても、その石材の材質によっては、磨耗や割れが生じ易く、改修の実効が図られない場合もあった。
【０００７】
本発明は、上述のような問題点をすべて解決するためになされたもので、改修後においても磨耗が生じにくく、また改修のための施工のコストを削減することができ、改修工事のための工期も短縮することができる、階段等の歩行路面の改修用部材とその施工方法を提供することを課題とするものである。
【０００８】
【課題を解決するための手段】
本発明は、このような課題を解決するために、階段等の歩行路面の改修用部材とその施工方法としてなされたもので、改修用部材としての特徴は、階段等の歩行路面の表面に接着される金属製の下地材１と、該下地材１の表面に設けられる耐磨耗性の石材２とで改修用部材を構成することである。
【０００９】
また、改修用部材の施工方法としての特徴は、階段等の歩行路面の改修部分の表面に、金属製の下地材１を設け、該下地材１の表面に、耐磨耗性の石材２を設けて施工することである。
【００１０】
金属製の下地材１としては、たとえばステンレス製のものが用いられる。
【００１１】
また、耐磨耗性の石材２としては、たとえばみかげ石のようなものが用いられる。
【００１２】
【発明の実施の形態】
以下、本発明の実施形態について図面に従って説明する。
【００１３】
図１に示すように、本実施形態の階段の改修用部材３は、階段の表面に接着される下地材１と、該下地材１の表面に設けられた耐磨耗性の石材２とで構成されている。
【００１４】
下地材１は、ステンレス（ＳＵＳ３０４）で構成されており、石材２はみかげ石で構成されている。
【００１５】
そして、このような構成からなる改修用部材３を施工する場合には、先ず階段の改修すべき施工箇所６に、図２に示すように無収縮接着剤４を塗着する。無収縮接着剤４としては、本実施形態では、エポキシ樹脂と変成シリコーン樹脂を主成分とする２液混合型の弾力性接着剤（商品名，品番：ボンドＥＭＳ２０）が用いられている。無収縮接着剤４は、施工箇所６の水平面６ａ及び垂直面６ｂの双方に塗着される。
【００１６】
次に、図３に示すように、前記無収縮接着剤４の上面に、ステンレスからなる下地材１を接着する。この場合、図３には図示されていないが、下地材１は、ボルトによって施工箇所６に止着される。このようなボルトの止着によって、無収縮接着剤４が乾燥する前に、下地材１が不用意に動くのが阻止されることになる。この下地材１も、施工箇所６の水平面６ａ及び垂直面６ｂの双方に設けられる。
【００１７】
次に、その下地材１の上面に、接着剤５を介して石材２を接着する。接着剤５としては、本実施形態では、金属用のエポキシ樹脂系接着剤（商品名，品番：ボンドＥ２５０）が用いられている。この石材２も、施工箇所６の水平面６ａ及び垂直面６ｂの双方に設けられる。
【００１８】
そして、階段の水平面６ａと垂直面６ｂが交差する端縁部においては、ビス７及びダボピン８が止着される。ダボピン８は、ビス７から垂直面６ｂ側の石材２に貫通して止着される。これによってビス７が固定され、また、このビス７で水平面６ａ側の石材２が係止されることとなる。
【００１９】
このようにして、改修用部材３が、階段の改修すべき施工箇所に施工されることになる。本実施形態では、石材２の厚さ１２ｍｍ、接着剤５の厚さ１ｍｍ、下地材１の厚さ６ｍｍとした。
【００２０】
本実施形態では、上述のように、石材２の下部に強度のあるステンレス製の下地材１が設けられているので、石材２を上述のように１２ｍｍと薄くしてもその石材２が割れることもない。
【００２１】
そして、このように石材２の厚みを薄くすることができる結果、上述のように石材２、接着剤５、下地材１からなる改修用部材３の全体の厚さを１９ｍｍと非常に薄くすることができるのである。
この結果、階段の下地部分の嵩上げを少なくすることができる。
【００２２】
また、下地材１は、鉄よりも強度があり且つ鉄より錆にくいステンレスで構成されているので、上記のような階段の改修用には適したものとなる。さらに、石材２が、硬く耐磨耗性のあるみかげ石で構成されているので、多数の通行人の歩行によっても、石材２が不用意に磨耗することがない。
【００２３】
尚、上記実施形態では、下地材１がステンレスで構成されていたが、下地材１の材質は該実施形態に限定されるものでなく、他の金属製のものを用いることも可能である。ただし、強度があって石材２を薄くしても割れることがなく、錆にくく、階段の改修用には適したものであるという効果が得られることから、上記実施形態のようなステンレスで構成するのが好ましい。
【００２４】
また、石材２の材質も該実施形態のみかげ石に限定されるものではなく、他の材質のものを使用することも可能である。ただし、駅のプラットホームの階段の補修部分等では、多数の通行人が歩行するので、それに適合するように、上記石材２は硬く耐磨耗性のあるみかげ石で構成されることが好ましい。
【００２５】
また、無収縮接着剤４や接着剤５の材質も、上記実施形態のエポキシ樹脂と変成シリコーン樹脂を主成分とする２液混合型の弾力性接着剤や、金属用のエポキシ樹脂系接着剤に限定されるものでない。
【００２６】
さらに、階段の水平面６ａ側に設けられた下地材１と、垂直面６ｂ側に設けられた下地材１との交差部分の内面側に、図４に示すようにステンレス製のアングルピース９を設けることも可能である。これによって、水平面６ａ側と垂直面６ｂ側との交差部分を補強することが可能となる。
【００２７】
さらに、上記実施形態では、階段の修復部分に本発明の改修用部材を適用する場合ついて説明したが、本発明の改修用部材を適用する箇所は階段に限定されるものではなく、要は歩行者が歩行する歩行路面であればよい。
【００２８】
【発明の効果】
以上のように、本発明は、階段等の歩行路面の改修部分の表面に接着される金属製の下地材と、該下地材の表面に設けられる耐磨耗性の石材とで階段等の歩行路面の改修用部材を構成したため、石材の下部に強度のある金属製の下地材が配置されることになるので、石材を薄くしてもその石材が割れることがなく、従って、石材及び下地材を含む改修用部材の全体の厚さを非常に薄くすることができる。
【００２９】
この結果、従来のように、石材の厚みによって階段の表面部分の高さが元の高さより高くなるようなこともなく、たとえば階段が設置されている場所が高さ制限のあるような場所である場合に、磨耗した階段部分を切削して高さを調整するような作業も不要となり、その分、施工の費用が低減され、改修工事のための工期も短縮されるという効果がある。
【００３０】
さらに、石材に耐磨耗性があるので、多数の通行人の歩行によっても、従来のように石材に磨耗や割れが生ずるおそれがなく、改修の実効を図ることができるという効果がある。
【００３１】
特に、下地材がステンレスで構成されている場合には、他種の金属、たとえば鉄よりも強度があり且つ鉄より錆にくいので、石材の割れをより確実に防止することができる他、階段の改修用により適したものになるという効果がある。
【００３２】
さらに、石材がみかげ石で構成されている場合には、他の材質の石材よりも硬く耐磨耗性があるので、磨耗や割れの防止効果が一層良好になるという利点がある。
【図面の簡単な説明】
【図１】一実施形態としての改修用部材を階段の改修部分に施工した状態の断面図。
【図２】改修用部材を施工する方法における、階段の改修部分に無収縮接着剤を塗着する工程の断面図。
【図３】下地材を設ける工程の断面図。
【図４】他実施形態の要部断面図。
【符号の説明】
１…下地材            ２…石材
３…改修用部材
【図１】
2004316243.tif 000003
【図２】
2004316243.tif 000004
【図３】
2004316243.tif 000005
【図４】
2004316243.tif 000006